(57)【要約】      （修正有）【課題】全方位へ強い光を発光することで、夜光性動物に対して警戒感をあおり、田畑等に進入を抑制することが可能な装置を提供する。【解決手段】撃退装置１５は、密封型透明容器１０内に水平に配置されたプリント基板６と、該プリント基板６の端部に配した複数の高輝度白色発光ダイオード１を備える。プリント基板６に配置される電子制御回路は、複数の高輝度白色発光ダイオード１のうち所定の高輝度白色発光ダイオード１に対して、不確定な待機時間後に通電することで、密封型透明容器１０の水平方向にランダムな光を点滅させる。【選択図】図１
0003174984.tif 000002
【実用新案登録請求の範囲】
【請求項１】
密封型透明容器内に水平に配置されたプリント基板と、
前記プリント基板の端部に配した複数の高輝度白色発光ダイオードと、を備え、
前記プリント基板に配置される制御回路は、前記複数の高輝度白色発光ダイオードのうち所定の高輝度白色発光ダイオードに対して、不確定な待機時間後に通電することで、前記密封型透明容器の水平方向にランダムな光を点滅させる動物の撃退装置。
【請求項２】
一定の暗さになった場合に感知するフォトトランジスタをさらに備え、
前記フォトトランジスタが、一定の暗さになったと感知した場合に、前記制御回路が、前記密封型透明容器の水平方向にランダムな光を点滅させる請求項１記載の動物の撃退装置。
【請求項３】
前記フォトトランジスタで感知しない場合に、前記動物を感知する赤外線センサをさらに備え、
前記赤外線センサが、前記動物を感知した場合に、前記制御回路が、前記密封型透明容器の水平方向にランダムな光を点滅させる請求項１又は２記載の動物の撃退装置。
【請求項４】
前記プリント基板への電源供給源として、充電可能な電池を使用し、
前記電源供給源の電池残量が所定量より少ないと、前記制御回路の電源電圧測定により、判断した場合には、前記電池残量の通知を行う赤色発光ダイオードをさらに備えた、請求項１乃至３記載の動物の撃退装置。
【考案の詳細な説明】
【技術分野】
【０００１】  本考案は、プリント基板に高輝度白色発光ダイオードを配置した撃退装置に関する。
【背景技術】
【０００２】  ここ近年において、特に各種報道機関より猪を始めとして、狸、テン、鹿等の鳥獣被害による農作物の被害が報告されており、高齢化する農村部での被害は生活を脅かす事態も招いている現状である。【０００３】  電柵やネットでの囲い方式、臭いや音の発する方式、超音波方式等の具体的な対策が数多く提案されているが、コストや維持管理方法にて多くの課題を抱えているのが実態である。被害作物として、稲作、サツマイモ、とうもろこし、ぶどう、みかん、大根、その他多くの人間の食生活に関わる物や、販売することで生活の生業にするものにも被害の拡大が見られる。【０００４】  例えば、特許文献１では、ＣＤやＤＶＤの反射面部に、太陽光を反射して光輝することで、鳥獣を撃退する器具が開示されている。
【先行技術文献】
【特許文献】
【０００５】
【特許文献１】実用新案登録第３１４１７６５号公報
【考案の概要】
【考案が解決しようとする課題】
【０００６】  しかしながら、特許文献１の技術では、太陽光を利用することを前提とするため、夜行性の獣には対応できない。したがって、夜の被害を防止することができない。また、学習能力の高い獣の場合は、長期間の使用により、慣れが生じてしまって、十分な効果を発揮しないことが多々ある。【０００７】  特に猪の場合は、常々学習能力が高い動物として例えられ、罠等は回避体験すると容易に進入を繰り返したり電柵も種類によっては効果が薄かったりで、維持管理コストも大きな負担である。【０００８】  そこで、本考案者らは、夜光性動物が直視できなくなるほどに、強い光を発行する装置を開発することで、従来にはない動物の撃退装置が開発できるのではないかという点に着目した。【０００９】  本考案は、全方位へ強い光を発光することで、夜光性動物に対して警戒感をあおり、田畑等に進入を抑制することが可能な装置であって、かつ、低コストの装置であって、かつ、容易に設置が可能であって、かつ、雨天に影響を受けない動物の撃退装置を提供することを目的とする。
【課題を解決するための手段】
【００１０】  上記課題を解決する手段として、請求項１記載の考案は、密封型透明容器内に水平に配置されたプリント基板と、前記プリント基板の端部に配した複数の高輝度白色発光ダイオードと、を備え、前記プリント基板に配置される制御回路は、前記複数の高輝度白色発光ダイオードのうち所定の高輝度白色発光ダイオードに対して、不確定な待機時間後に通電することで、前記密封型透明容器の水平方向にランダムな光を点滅させる動物の撃退装置である。【００１１】  請求項２記載の考案は、請求項１記載の考案に加えて、一定の暗さになった場合に感知するフォトトランジスタをさらに備え、前記フォトトランジスタが、一定の暗さになったと感知した場合に、前記制御回路が、前記密封型透明容器の水平方向にランダムな光を点滅させる撃退装置である。【００１２】  請求項３記載の考案は、請求項１又は２記載の考案に加えて、前記フォトトランジスタで感知しない場合に、前記動物を感知する赤外線センサをさらに備え、前記赤外線センサが、前記動物を感知した場合に、前記制御回路が、前記密封型透明容器の水平方向にランダムな光を点滅させる撃退装置である。【００１３】  請求項４記載の考案は、請求項１から３に記載の考案に加えて、前記プリント基板への電源供給源として、充電可能な電池を使用し、前記電源供給源の電池残量が所定量より少ないと、前記制御回路の電源電圧測定により、判断した場合には、前記電池残量の通知を行う赤色発光ダイオードをさらに備えた、動物の撃退装置である。
【考案の効果】
【００１４】  本考案は、全方位へ強い光を発光することで、夜光性動物に対して警戒感をあおり、田畑等に進入を抑制することが可能な装置であって、かつ、低コストの装置であって、かつ、容易に設置が可能であって、かつ、雨天に影響を受けない動物の撃退装置を提供することが可能となる。
【図面の簡単な説明】
【００１５】
【図１】  本考案の好適な実施形態である撃退装置１５の外観を示す図である。
【図２】  本考案の好適な実施形態である円形のプリント基板６の平面図である。
【図３】  本考案の好適な実施形態である電子制御回路１２と入出力装置のブロック図である。
【図４】  本考案の好適な実施形態である撃退装置１５が実行する制御処理のフローチャートである。
【考案を実施するための形態】
【００１６】  以下、図面を参照して本考案の実施の形態を詳しく説明する。図１は、本考案における撃退装置１５の外観を示す図である。撃退装置１５は、外装となる密封型透明容器１０と、密封型透明容器１０の内部に水平に配置された円形のプリント基板６と、プリント基板６を固定するための支柱８と、プリント基板６上に配置された赤外線センサ３、電池残量表示灯４、高輝度白色発光ダイオード１、フォトトランジスタ２、電子制御素子５を備え、プリント基板６の下部に、充電式乾電池９を備える。
【００１７】  密封型透明容器１０の上部は、透明蓋１４を備え、透明蓋１４の上部に吊金具７が固定されている。この吊金具７により、撃退装置１５を設置する地形に合わせながら、簡単に紐等で吊り下げることが出来るので、労力を要しない。さらに、密封型透明容器により、風雨に対する耐環境も備えているので、日々の管理が容易である。
【００１０】  支柱８は、容器の透明蓋１４を貫通し、支柱８の貫通した部分に吊金具７がねじ込み方式にて固定されて、防水処理が施されている。上蓋付き密封型透明容器１０の底面に、充電式乾電池９を入れプリント基板６の回路と結線している。
【００１８】  密封型透明容器１０の上面形状は、円形であることが望ましい。後述するように、高輝度白色発光ダイオード１は、円形のプリント基板６の端部に配置されるため、撃退装置１５の側面部に対して、全方向的に発光が可能である。すなわち、密封型透明容器１０自体が、電球のガラス球殻のように、外装全体で発光することが可能となる。
【００１９】  図２は、撃退装置１５を上部から眺めた場合の、円形のプリント基板６の平面図である。高輝度白色発光ダイオード１−ａ〜ｆは、プリント基板６の外周水平の端部にそれぞれ配される。高輝度白色発光ダイオード１−ａ〜ｆは、発光するグループが２つに分けられ、白色発光ダイオード１−ａ，ｃ，ｅを、奇数組みとし、白色発光ダイオード１−ｂ，ｄ，ｆを、偶数組みとする。
【００２０】  高輝度白色発光ダイオード１は、一次レンズ付きの高輝度白色発光ダイオードであってよい。なお、中央部に、高輝度白色発光ダイオード１をランダムに点滅させる為の電子制御素子５を配置している。
【００２１】  高輝度白色発光ダイオード１−ａ〜ｆは、光束の中央値が８０ルーメン以上、すなわち、１ワットクラスＬＥＤであることが望ましい。この１ワットクラスＬＥＤは、従来よりも２００倍程度光が強いとされている。
【００２２】  図３は、プリント基板６に配置される電子制御回路１２と入出力装置のブロック図である。
【００２３】  フォトトランジスタ２は、夕方と明け方の明るさを感知し、電源のＯＮ、ＯＦＦを行うためのセンサである。電池残量表示灯４は、残量が少なくなり要充電の場合に赤色の発光ダイオードの点滅で表示し、残量ゼロの場合には点滅はしない。
【００２４】  赤外線センサ３は、動物の種類によっては不特定な動きや進入方法が特定しにくい場合を想定して、昼間でも高輝度白色発光ダイオード１を点滅するためのセンサである。
【００２５】  撃退装置１５は、撃退する獣が猪等であって、進入路が特定できるものについては、進入路に猪の目線の高さに設置するが、一定期間毎に位置を見直すことで更なる効果が見込める。その他の夜光性動物の場合は、進入の仕方に合わせて近づいて来た場合に点滅する様に、赤外線センサも併用して更なる警戒感を煽ることが出来る。
【００２６】  図４は、撃退装置１５が実行する制御処理のフローチャートである。まず、撃退装置１５に受電式乾電池９を装着して、電源を投入する。次に、電子制御回路１２は、電源投入直後は電圧上昇等あるので、それらが安定するまで、２．５秒間ほど待機する（Ｓ０１）。
【００２７】  次に、電源電圧測定１として、回路安定後、電源電圧（電池の電圧）を測定する（Ｓ０２）。ニッケル水素電池１．２Ｖ×４本＝４．８Ｖを適正電圧と想定している。異常に高い電圧を６Ｖ以上、電池切れおよび異常に低い電圧を４．２Ｖ以下と設定し、適正電圧の範囲外の電圧が印加された場合、電池残量表示灯を点滅させる（Ｓ２０へ移行する）。電圧が適正電圧範囲内ならばＳ０３へ。電源電圧が、想定する異常に低い電圧をさらに大きく下回る場合は、撃退装置１５自体が動作しない。
【００２８】  次に、接近確認（Ｓ０３）として、獣が撃退装置１５に接近した場合、周囲が明るくても高輝度白色発光ダイオード１を点滅させる。獣の接近の検出は赤外線センサ３で行う。赤外線センサ３の反応がない場合は、次のステップ（Ｓ０４）へ。反応がある場合は高輝度白色発光ダイオード１を点滅させるためＳ０７へ移行する。
【００２９】  昼夜確認（赤外線測定）（Ｓ０４）として、周囲の明るさを測定する。明るい場合は（昼判定）明るさ測定を繰り返す。暗い場合は（夜判定）次のステップ（Ｓ０５）へ。この撃退装置１５は屋外での使用を想定しているため、明るさの基準は太陽光に含まれる赤外線を測定している（赤外線反応型のフォトトランジスタ２を採用しており、コストが抑えられている）。
【００３０】  次に、再確認待機として、５秒間、待機する（Ｓ０５）。昼夜確認時に撃退装置１５付近を物体が横切るなどして、赤外線センサ３に影が差した場合、昼間であっても夜判定となってしまう場合がある。その様な事態を避けるためＳ０４とＳ０６の両方で夜判定となった場合のみ、実際に夜間になったものと判断する。物体が通過するのを待つため、５秒間待機する。
【００３１】  次に、昼夜再確認（赤外線測定）として、再び周囲の明るさを測定する（Ｓ０６）。昼判定の場合は、Ｓ０４での測定結果はイレギュラー（撃退装置１５の上方を何かが横切る等）なものとし、再びＳ０５に処理を戻す。夜判定の場合は次のステップＳ０７へ。また、夜間動作から昼間動作へ切り替えるか否かの明るさ判定もこのステップで行う。
【００３２】  次に、電源電圧測定２（Ｓ０７）として、高輝度白色発光ダイオード１を点滅させると電池の消耗が速くなるため事前に電源電圧を測定しておく。電池が消耗しており適正電圧の範囲外まで電圧が下がっていた場合は（４．２Ｖ以下）、電池残量表示灯を点滅させる（Ｓ１６へ）。適正電圧範囲内ならば次のステップ（Ｓ０８）へ移る。
【００３３】  次に、高輝度白色発光ダイオード１−ａ、ｃ、ｅ（奇数組み）を点灯させ（Ｓ０８）、１０ミリ秒間待機を行い（Ｓ０９）、高輝度白色発光ダイオード１−ａ、ｃ、ｅ（奇数組み）を消灯する（Ｓ１０）。さらに、１０〜２５５０ミリ秒間待機をする（Ｓ１１）。待機時間は電子制御素子５の計算により１０ミリ秒刻みでばらばらに決定される。完全なランダムではなく、計算による擬似的なランダムが測定される。
【００３４】  次に、高輝度白色発光ダイオード１−ｂ、ｄ、ｆ（偶数組み）を点灯させ（Ｓ１２）、同様に、１０ミリ秒間待機を行い（Ｓ１３）、高輝度白色発光ダイオード１−ｂ、ｄ、ｆ（偶数組み）を消灯する（Ｓ１４）。さらに、１０〜２５５０ミリ秒間待機をする（Ｓ１５）。
【００３５】  次に、Ｓ０６に移る。すなわち、夜間で電源電圧が適正範囲内であれば、昼夜再確認（Ｓ０６）、電源電圧測定２（Ｓ０７）、ＬＥＤ奇数組み点滅（Ｓ０８〜Ｓ１１）、ＬＥＤ偶数組み点滅（Ｓ１２〜Ｓ１５）、昼夜再確認（Ｓ０６）を繰り返す。
【００３６】  ステップＳ１６にて、電池残量表示灯ＯＮを行う。電源電圧測定１および電源電圧測定２の測定結果が適正範囲外であった場合、このステップへ移行する。このステップに突入した場合、以降Ｓ０１からＳ１５のステップへ戻ることはない。電源電圧に異常があることを外部に示すため電池残量表示灯４を点灯させる。
【００３７】  その後、１０ミリ秒間待機（Ｓ１７）し、電池残量表示灯４を消灯し、１０００ミリ秒間待機（Ｓ１９）して、電池電圧測定回路１６が電源電圧測定３を行う。電池残量表示灯４を点滅させるたけでも電池は消耗する。電池が消耗し、さらに電源電圧が低下した場合（４Ｖ以下）、次のステップ（Ｓ２１）へ。４Ｖ以上の場合はＳ１６へ移し、電池残量表示灯４を点滅させ続ける。
【００３８】  電源電圧が４Ｖを下回り、使用している充電電池が深放電状態に近づくと、このステップＳ２１へ移行する。充電式乾電池９が例えば、ニッケル水素充電池等の充電池であると、放電しすぎると、様々な障害を起こすため、消費電力を可能な限り抑えるようにする。電子制御素子５を低消費電力動作にする。全ての高輝度白色発光ダイオード１が消灯されており、昼夜判定を行わない。電源電圧測定も行わない。このステップへ突入すると他のステップへ移行することはない。
【００３９】  電池を取り外した後、新たに電池をはめ込んだ場合は、Ｓ０１から再スタートする。
【００４０】  このようにして、撃退装置１５は、負担を極力抑えた費用で設置出来ること、維持管理負担を軽減できることを特徴とし、プリント基板上に高輝度白色発光ダイオード１が、３６０°のどの方位からも発光が確認できる様に配置され、撃退装置１５を設置する場合の地形を選ばない様に出来る。特に、高輝度白色発光ダイオード１の輝度が高いので、夜光性動物の侵入を防止する。電源は繰り返し充電可能な充電式乾電池９を使用し、フォトトランジスタ１により夕方の暗さを感知することで発光ダイオードが自動点滅を開始し、明け方の明るさを感知して停止する。電池容量が２０００ｍＡｈの場合は、冬場の１２時間点滅点灯を想定した場合で２週間の電池容量があり、電池残量の少ない場合は電池残量表示灯４を点滅させ、管理を容易にし、管理コスト負担の軽減を図るものである。
【００４１】  本考案は、是までに発売されている同様な機能を持った製品の効果の検証を行い猪の生態に関する調査を特定機関との調査結果を基に、効果的な方法として考えたものである。実際の農場へ夜間出没の際の模様を赤外線撮影による野生の行動を調査すると、是までに発売されている同様の機能を持った砲弾型発光ダイオード方式の明るさだと、明るさが充分ではないため、逆に周囲に興味本位で集まり破壊されるケースもあり、撃退に効果が薄いと考えられる。猪の生態を検証するに当り、出没する際は親が子供を連れている場合が多く、子供が電柵の中に入り込んだ場合は、助ける為に親は電柵であっても進入することから、進入された場合の設置費用の損害や農作物の被害が甚大なものと思われる。
【００４２】  このような課題に対して、本考案は、全方位へ強い光を発光することで、夜光性動物に対して警戒感をあおり、田畑等に進入を抑制することが可能であって、かつ、低コスト出構成可能な装置であって、かつ、吊金具７等により容易に設置が可能であって、かつ、密封型により雨天に影響を受けない動物の撃退装置を提供することが可能となる。
【符号の説明】
【００４３】１  高輝度白色発光ダイオード
２  フォトトランジスタ
３  赤外線センサ
４  電池残量表示灯
５  電子制御素子
６  プリント基板
７  吊金具
８  支柱
９  充電式乾電池
１０  密封型透明容器
１２  電子制御回路
１４  透明蓋
１５  撃退装置
１６  電池電圧測定回路
【図１】
0003174984.tif 000003
【図２】
0003174984.tif 000004
【図３】
0003174984.tif 000005
【図４】
0003174984.tif 000006